【手続補正書】
【提出日】平成19年8月8日(2007.8.8)
【手続補正１】
【補正対象書類名】特許請求の範囲
【補正対象項目名】全文
【補正方法】変更
【補正の内容】
【特許請求の範囲】
【請求項１】
ネットワークを介して接続された任意の通信端末から撮影会への参加申し込みがあったときは、当該申し込みに対して一意に設定した識別情報を撮影者データベースに登録し、当該参加申し込みの条件に適合した撮影会が撮影会データベースに登録されている場合には、当該撮影会の予告を当該通信端末に送信し、前記条件に適合した撮影会が前記撮影会データベースに登録されていない場合には、当該条件に適合した新たな撮影会を前記識別情報とともに前記撮影会データベースに登録する第１のサーバーと、
前記ネットワークを介して接続された任意の通信端末から撮影会で撮影された撮影データに対して購入申し込みがあったときは、前記ネットワークを介して当該撮影データを販売する第２のサーバーと、
を備えた撮影支援システム。
【請求項２】
前記第１のサーバーは、前記ネットワークを介して接続された任意の通信端末から被写体の登録申し込みがあったときは、当該被写体のデータを被写体データベースに登録し、撮影会の予告に被写体のデータを含めることを特徴とする請求項１に記載の撮影支援システム。
【請求項３】
前記第１のサーバーは、前記通信端末から特定の被写体を条件とする撮影会への参加申し込みがあったときは、当該条件に適合した撮影会が前記撮影会データベースに登録されている場合には、当該撮影会の予告を当該通信端末に送信し、前記特定の被写体の撮影会が前記撮影会データベースに登録されていない場合には、類似した被写体の撮影会の予告を当該通信端末に送信することを特徴とする請求項１に記載の撮影支援システム。
【請求項４】
前記第１のサーバーは、撮影会が行われる撮影現場に入場した撮影装置に対して当該撮影会への参加申し込みに対して一意に設定した識別情報の送信を要求し、当該撮影装置から受信した識別情報が当該撮影会の参加申し込みに対して登録されている識別情報と一致した場合には、当該撮影装置に対して撮影許可の情報を送信し、当該撮影装置から受信した識別情報が当該撮影会への参加申し込みに対して登録されている識別情報と異なる場合、又は、当該撮影装置から識別情報を受信しない場合には、前記撮影許可の情報を送信しないことを特徴とする請求項１に記載の撮影支援システム。
【請求項５】
前記第２のサーバーは、前記ネットワークを介して接続された任意の通信端末から撮影会で撮影された撮影データに対する購入申し込みに応じて当該撮影データを送信する場合には、当該端末装置のユーザーと取引がある金融機関の口座番号から購入の対価を受け取るための決済を行うことを特徴とする請求項１に記載の撮影支援システム。
【請求項６】
ネットワークを介して接続された任意の通信端末から撮影会への参加申し込みがあったときは、当該申し込みに対して一意に設定した識別情報を撮影者データベースに登録し、当該参加申し込みの条件に適合した撮影会が撮影会データベースに登録されている場合には、当該撮影会の予告を当該通信端末に送信し、前記条件に適合した撮影会が前記撮影会データベースに登録されていない場合には、当該条件に適合した新たな撮影会を前記識別情報とともに前記撮影会データベースに登録する第１のステップと、
前記ネットワークを介して接続された任意の通信端末から撮影会で撮影された撮影データに対して購入申し込みがあったときは、前記ネットワークを介して当該撮影データを販売する第２のステップと、
を実行する撮影支援処理のプログラム。
【請求項７】
前記第１のステップは、前記ネットワークを介して接続された任意の通信端末から被写体の登録申し込みがあったときは、当該被写体のデータを被写体データベースに登録し、撮影会の予告に被写体のデータを含めることを特徴とする請求項６に記載の撮影支援処理のプログラム。
【請求項８】
前記第１のステップは、前記通信端末から特定の被写体を条件とする撮影会への参加申し込みがあったときは、当該条件に適合した撮影会が前記撮影会データベースに登録されている場合には、当該撮影会の予告を当該通信端末に送信し、前記特定の被写体の撮影会が前記撮影会データベースに登録されていない場合には、類似した被写体の撮影会の予告を当該通信端末に送信することを特徴とする請求項６に記載の撮影支援処理のプログラム。
【請求項９】
前記第１のステップは、撮影会が行われる撮影現場に入場した撮影装置に対して当該撮影会への参加申し込みに対して一意に設定した識別情報の送信を要求し、当該撮影装置から受信した識別情報が当該撮影会の参加申し込みに対して登録されている識別情報と一致した場合には、当該撮影装置に対して撮影許可の情報を送信し、当該撮影装置から受信した識別情報が当該撮影会への参加申し込みに対して登録されている識別情報と異なる場合、又は、当該撮影装置から識別情報を受信しない場合には、前記撮影許可の情報を送信しないことを特徴とする請求項６に記載の撮影支援処理のプログラム。
【請求項１０】
前記第２のステップは、前記ネットワークを介して接続された任意の通信端末から撮影会で撮影された撮影データに対する購入申し込みに応じて当該撮影データを送信する場合には、当該端末装置のユーザーと取引がある金融機関の口座番号から購入の対価を受け取るための決済を行うことを特徴とする請求項６に記載の撮影支援処理のプログラム。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
請求項６に記載の撮影支援処理のプログラムは、ネットワークを介して接続された任意の通信端末から撮影会への参加申し込みがあったときは、その申し込みに対して一意に設定した識別情報を撮影者データベースに登録し、その参加申し込みの条件に適合した撮影会が撮影会データベースに登録されている場合には、その撮影会の予告をその通信端末に送信し、条件に適合した撮影会が撮影会データベースに登録されていない場合には、その条件に適合した新たな撮影会を識別情報とともに撮影会データベースに登録する第１のステップと、ネットワークを介して接続された任意の通信端末から撮影会で撮影された撮影データに対して購入申し込みがあったときは、ネットワークを介して、その撮影データを販売する第２のステップと、を実行する。
【手続補正５】
【補正対象書類名】明細書
【補正対象項目名】００１３
【補正方法】変更
【補正の内容】
【００１３】
請求項６の撮影支援処理のプログラムにおいて、請求項７に記載したように、第１のステップは、ネットワークを介して接続された任意の通信端末から被写体の登録申し込みがあったときは、その被写体のデータを被写体データベースに登録し、撮影会の予告に被写体のデータを含めるような構成にしてもよい。
【手続補正６】
【補正対象書類名】明細書
【補正対象項目名】００１４
【補正方法】変更
【補正の内容】
【００１４】
請求項６の撮影支援処理のプログラムにおいて、請求項８に記載したように、第１のステップは、通信端末から特定の被写体を条件とする撮影会への参加申し込みがあったときは、その条件に適合した撮影会が撮影会データベースに登録されている場合には、その撮影会の予告をその通信端末に送信し、特定の被写体の撮影会が撮影会データベースに登録されていない場合には、類似した被写体の撮影会の予告をその通信端末に送信するような構成にしてもよい。
【手続補正７】
【補正対象書類名】明細書
【補正対象項目名】００１５
【補正方法】変更
【補正の内容】
【００１５】
請求項６の撮影支援処理のプログラムにおいて、請求項９に記載したように、第１のステップは、撮影会が行われる撮影現場に入場した撮影装置に対して、その撮影会への参加申し込みに対して一意に設定した識別情報の送信を要求し、その撮影装置から受信した識別情報が、その撮影会の参加申し込みに対して登録されている識別情報と一致した場合には、その撮影装置に対して撮影許可の情報を送信し、その撮影装置から受信した識別情報が、その撮影会への参加申し込みに対して登録されている識別情報と異なる場合、又は、その撮影装置から識別情報を受信しない場合には、撮影許可の情報を送信しないような構成にしてもよい。
【手続補正８】
【補正対象書類名】明細書
【補正対象項目名】００１６
【補正方法】変更
【補正の内容】
【００１６】
請求項６の撮影支援処理のプログラムにおいて、請求項１０に記載したように、第２のステップは、ネットワークを介して接続された任意の通信端末から撮影会で撮影された撮影データに対する購入申し込みに応じて、その撮影データを送信する場合には、その端末装置のユーザーと取引がある金融機関の口座番号から購入の対価を受け取るための決済を行うような構成にしてもよい。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】